(57)【要約】      （修正有）【課題】室内で持ち歩きやすく、部屋の隅やベットの底等を全面的に消毒することができる室内殺菌消毒装置を提供する。【解決手段】輸送管１と、供給アセンブリと、霧化アセンブリと、を含む室内殺菌消毒装置であって、輸送管の頂端の一方側にハンドル２が設けられ、輸送管上面に制御パネル３が設けられ、供給アセンブリは、輸送管の底端の一方側に設けられ、霧化アセンブリは、輸送管の先端に設けられ、霧化アセンブリ、供給アセンブリは、それぞれ輸送管の内部に連通する。複数群の混合ブレードが貯蔵箱の内部に回転し、貯蔵箱の内部の消毒液が混合される。【選択図】図１
0003232973.tif 000002
【実用新案登録請求の範囲】
【請求項１】
輸送管（１）と、供給アセンブリと、霧化アセンブリと、を含む室内殺菌消毒装置であって、
前記輸送管（１）の頂端の一方側にハンドル（２）が設けられ、
前記輸送管（１）上面に制御パネル（３）が設けられ、
前記供給アセンブリは、前記輸送管（１）の底端の一方側に設けられ、
前記霧化アセンブリは、前記輸送管（１）の先端に設けられ、
前記霧化アセンブリ、前記供給アセンブリは、それぞれ前記輸送管（１）の内部に連通する
ことを特徴とする室内殺菌消毒装置。
【請求項２】
請求項１に記載の室内殺菌消毒装置であって、
前記ハンドル（２）の底端は、輸送管（１）に係合して固定され、
前記ハンドル（２）の外部にゴムクッション層が設けられる
ことを特徴とする室内殺菌消毒装置。
【請求項３】
請求項１に記載の室内殺菌消毒装置であって、
前記供給アセンブリは、供給管（４）と、貯蔵箱（５）と、導管（６）と、混合部と、を含み、
前記貯蔵箱（５）は、輸送管（１）の底端に係合して固定され、
前記貯蔵箱（５）は、透明な素材から作成され、
前記供給管（４）は、前記貯蔵箱（５）の頂端の一方側に設けられ、
前記導管（６）は、前記貯蔵箱（５）の内部の底端に連通し、
前記導管（６）は、輸送管（１）の内部に嵌入され、
前記導管（６）は、霧化アセンブリに接続され、
前記混合部は、前記貯蔵箱（５）の内部に設けられる
ことを特徴とする室内殺菌消毒装置。
【請求項４】
請求項３に記載の室内殺菌消毒装置であって、
前記貯蔵箱（５）は、全体として整体円柱状であり、内壁が平滑化処理された
ことを特徴とする室内殺菌消毒装置。
【請求項５】
請求項３に記載の室内殺菌消毒装置であって、
前記供給管（４）は、貯蔵箱（５）の内部に連通し、端部に制御弁（７）が設けられる
ことを特徴とする室内殺菌消毒装置。
【請求項６】
請求項３に記載の室内殺菌消毒装置であって、
前記混合部は、モータ（８）と、連動レバー（９）と、複数群の混合ブレード（１０）と、を含み、
前記モータ（８）は、輸送管（１）の底端に設けられ、
前記モータ（８）は、制御パネル（３）に電気接続され、
前記連動レバー（９）は、前記モータ（８）の出力端に設けられ、
複数群の前記混合ブレード（１０）は、前記連動レバー（９）の外部に均等に設けられる
ことを特徴とする室内殺菌消毒装置。
【請求項７】
請求項６に記載の室内殺菌消毒装置であって、
前記連動レバー（９）は、ステンレス鋼材から作成され、
前記連動レバー（９）の頂端は、軸継手を設けることにより前記モータ（８）の出力端に接続される
ことを特徴とする室内殺菌消毒装置。
【請求項８】
請求項６に記載の室内殺菌消毒装置であって、
複数群の前記混合ブレード（１０）は、いずれもステンレス鋼材から作成され、先端が弧状である
ことを特徴とする室内殺菌消毒装置。
【請求項９】
請求項１に記載の室内殺菌消毒装置であって、
前記霧化アセンブリは、霧化器（１１）と、吸引ポンプ（１２）と、霧化ノズル（１３）と、を含み、
前記霧化器（１１）は、導管（６）の外部に設けられ、
前記霧化ノズル（１３）は、前記導管（６）の先端に設けられ、
前記霧化ノズル（１３）に、複数群の吐出孔が均等に形成され、
前記吸引ポンプ（１２）は、前記導管（６）の外部に設けられ、前記霧化器（１１）と前記霧化ノズル（１３）との間に設けられ、
前記霧化器（１１）及び前記吸引ポンプ（１２）は、それぞれ制御パネル（３）に電気接続される
ことを特徴とする室内殺菌消毒装置。
【請求項１０】
請求項９に記載の室内殺菌消毒装置であって、
前記霧化ノズル（１３）は、半球状であり、
前記霧化ノズル（１３）に前記複数群の吐出孔が均等に貫通して形成される
ことを特徴とする室内殺菌消毒装置。
【考案の詳細な説明】
【技術分野】
【０００１】
本考案は、殺菌設備技術領域に関し、特に室内殺菌消毒装置に関する。
【背景技術】
【０００２】
消毒とは、病原菌を殺せるが、必ずしも細菌芽胞を殺せるわけでない方法をいう。通常、化学的方法により消毒が行われる。消毒に使用される化学薬品は消毒剤と呼ばれる。殺菌とは、対象のすべての微生物を殺す方法をいう。通常、物理的方法により消毒が行われる。生活環境に対する要求が高まっているに従って、屋内で消毒装置によって消毒することが必要になる。従来の消毒装置は、体積が大きく、移動することが難しいため、部屋を全面的に消毒することができなく、消毒の効果が良くない。また、従来の消毒装置は、固定の位置で消毒を行うため、消毒範囲が狭く、消毒剤の無駄が非常に発生しやすい。また、従来の消毒装置の使用は、制限されている。
【０００３】
従来の消毒装置の使用は、以下の欠点を有する。体積が大きく、移動することが難しいため、部屋を全面的に消毒することができなく、消毒の効果が良くない。また、従来の消毒装置は、固定の位置で消毒を行うため、消毒範囲が狭く、消毒剤の無駄が非常に発生しやすい。また、従来の消毒装置の使用は、制限されているため、部屋の隅やベッドの底等を全面的に消毒することができない。
【考案の概要】
【０００４】
本考案は、以下の問題を解決するために、室内殺菌消毒装置を提供する。従来の消毒装置は、体積が大きく、移動することが難しいため、部屋を全面的に消毒することができない。また、従来の消毒装置の使用は、制限されているため、部屋の隅やベッドの底等を全面的に消毒することができない。
【０００５】
上述した目的を実現するために、輸送管と、供給アセンブリと、霧化アセンブリと、を含む室内殺菌消毒装置を提供する。前記輸送管の頂端の一方側にハンドルが設けられ、前記輸送管上面に制御パネルが設けられ、前記供給アセンブリは、輸送管の底端の一方側に設けられ、前記霧化アセンブリは、輸送管の先端に設けられ、前記霧化アセンブリ、前記供給アセンブリは、それぞれ輸送管の内部に連通する。
【０００６】
好ましくは、前記ハンドルの底端は、輸送管に係合して固定され、前記ハンドルの外部にゴムクッション層が設けられる。
【０００７】
好ましくは、前記供給アセンブリは、供給管と、貯蔵箱と、導管と、混合部と、を含み、前記貯蔵箱は、輸送管の底端に係合して固定され、前記貯蔵箱は、透明な素材から作成され、前記供給管は、貯蔵箱の頂端の一方側に設けられ、前記導管は、貯蔵箱の内部の底端に連通し、前記導管は、輸送管の内部に嵌入され、前記導管は、霧化アセンブリに接続され、前記混合部は、貯蔵箱の内部に設けられる。消毒液を供給管により貯蔵箱の内部に輸送し、貯蔵することにより、後の消毒作業を安定に行うことができる。その後、消毒液は、導管により霧化アセンブリの内部に抽送され、処理される。
【０００８】
好ましくは、前記貯蔵箱は、全体として整体円柱状であり、内壁が平滑化処理された。
【０００９】
好ましくは、前記供給管は、貯蔵箱の内部に連通し、端部に制御弁が設けられる。
【００１０】
好ましくは、前記混合部は、モータと、連動レバーと、複数群の混合ブレードと、を含み、前記モータは、輸送管の底端に設けられ、前記モータは、制御パネルに電気接続され、前記連動レバーは、モータの出力端に設けられ、複数群の前記混合ブレードは、連動レバーの外部に均等に設けられる。複数群の混合ブレードが貯蔵箱の内部に回転し、貯蔵箱の内部の消毒液が混合される。使用する際に、貯蔵箱の内部の消毒液が沈降することが回避され、消毒効果が向上する。
【００１１】
好ましくは、前記連動レバーは、ステンレス鋼材から作成され、前記連動レバーの頂端は、軸継手を設けることによりモータの出力端に接続される。
【００１２】
好ましくは、複数群の前記混合ブレードは、いずれもステンレス鋼材から作成され、先端が弧状である。
【００１３】
好ましくは、前記霧化アセンブリは、霧化器と、吸引ポンプと、霧化ノズルと、を含み、前記霧化器は、導管の外部に設けられ、前記霧化ノズルは、導管の先端に設けられ、前記霧化ノズルに、複数群の吐出孔が均等に形成され、前記吸引ポンプは、導管の外部に設けられ、霧化器と霧化ノズルとの間に設けられ、前記霧化器及び吸引ポンプは、それぞれ制御パネルに電気接続される。装置がコンパクトであるため、室内で持ち歩きやすく、部屋の隅やベッドの底等を全面的に消毒することが実現される。従来の設備の体積が大きく、移動しにくいことによる消毒の不十分が改善された。
【００１４】
好ましくは、前記霧化ノズルは、半球状であり、前記霧化ノズルに複数群の吐出孔が均等に貫通して形成される。
【考案の効果】
【００１５】
本考案の態様は、下記の有益な効果を奏する。
本考案では、霧化アセンブリを設けることにより、以下の効果を奏する。消毒液が霧化器により霧化された後に、霧化ノズルにより吐出される。消毒範囲が広がり、消毒作業が簡単になる。また、装置がコンパクトであるため、室内で持ち歩きやすく、部屋の隅やベッドの底等を全面的に消毒することが実現される。従来の設備の体積が大きく、移動しにくいことによる消毒の不十分が改善された。
【００１６】
本考案では、混合部を設けることにより、以下の効果を奏する。制御パネルの制御により、モータが駆動され、連動レバーを回転させる。これにより、複数群の混合ブレードが貯蔵箱の内部に回転し、貯蔵箱の内部の消毒液が混合される。使用する際に、貯蔵箱の内部の消毒液が沈降することが回避され、消毒効果が向上する。
【図面の簡単な説明】
【００１７】
【図１】本考案の実施例に係る全体構造模式図である。
【図２】本考案の実施例に係る霧化アセンブリの構造模式図である。
【図３】本考案の実施例に係る混合部の構造模式図である。
【図４】図２におけるＡ部分の拡大模式図である。
【考案を実施するための形態】
【００１８】
図１−４に示すように、本考案のある実施例によれば、輸送管１と、供給アセンブリと、霧化アセンブリと、を含む室内殺菌消毒装置を提供する。前記輸送管１の頂端の一方側にハンドル２が設けられ、前記輸送管１上面に制御パネル３が設けられ、前記供給アセンブリは、輸送管１の底端の一方側に設けられ、前記霧化アセンブリは、輸送管１の先端に設けられ、前記霧化アセンブリ、前記供給アセンブリは、それぞれ輸送管１の内部に連通する。
【００１９】
また、前記ハンドル２の底端は、輸送管１に係合して固定され、前記ハンドル２の外部にゴムクッション層が設けられる。
【００２０】
また、前記供給アセンブリは、供給管４と、貯蔵箱５と、導管６と、混合部と、を含み、前記貯蔵箱５は、輸送管１の底端に係合して固定され、前記貯蔵箱５は、透明な素材から作成され、前記供給管４は、貯蔵箱５の頂端の一方側に設けられ、前記導管６は、貯蔵箱５の内部の底端に連通し、前記導管６は、輸送管１の内部に嵌入され、前記導管６は、霧化アセンブリに接続され、前記混合部は、貯蔵箱５の内部に設けられる。消毒液を供給管４により貯蔵箱５の内部に輸送し、貯蔵することにより、後の消毒作業を安定に行うことができる。その後、消毒液は、導管６により霧化アセンブリの内部に抽送され、処理される。
【００２１】
また、前記貯蔵箱５は、全体として整体円柱状であり、内壁が平滑化処理された。
【００２２】
また、前記供給管４は、貯蔵箱５の内部に連通し、端部に制御弁７が設けられ、貯蔵箱５の内部に消毒液を輸送することができる。
【００２３】
また、前記混合部は、モータ８と、連動レバー９と、複数群の混合ブレード１０と、を含み、前記モータ８は、輸送管１の底端に設けられ、前記モータ８は、制御パネル３に電気接続され、前記連動レバー９は、モータ８の出力端に設けられ、複数群の前記混合ブレード１０は、連動レバー９の外部に均等に設けられる。制御パネル３の制御により、モータ８が駆動され、連動レバー９を回転させる。これにより、複数群の混合ブレード１０が貯蔵箱５の内部に回転し、貯蔵箱５の内部の消毒液が混合される。使用する際に、貯蔵箱５の内部の消毒液が沈降することが回避され、消毒効果が向上する。
【００２４】
また、前記連動レバー９は、ステンレス鋼材から作成され、前記連動レバー９の頂端は、軸継手を設けることによりモータ８の出力端に接続される。
【００２５】
また、複数群の前記混合ブレード１０は、いずれもステンレス鋼材から作成され、先端が弧状である。
【００２６】
また、前記霧化アセンブリは、霧化器１１と、吸引ポンプ１２と、霧化ノズル１３と、を含み、前記霧化器１１は、導管６の外部に設けられ、前記霧化ノズル１３は、導管６の先端に設けられ、前記霧化ノズル１３に、複数群の吐出孔が均等に形成され、前記吸引ポンプ１２は、導管６の外部に設けられ、霧化器１１と霧化ノズル１３との間に設けられ、前記霧化器１１及び吸引ポンプ１２は、それぞれ制御パネル３に電気接続される。消毒液が霧化器１１により霧化された後に、霧化ノズル１３により吐出される。消毒範囲が広がり、消毒作業が簡単になる。また、装置がコンパクトであるため、室内で持ち歩きやすく、部屋の隅やベッドの底等を全面的に消毒することが実現される。従来の設備の体積が大きく、移動しにくいことによる消毒の不十分が改善された。
【００２７】
また、前記霧化ノズル１３は、半球状であり、前記霧化ノズル１３に複数群の吐出孔が均等に貫通して形成される。
【００２８】
動作の原理
供給アセンブリを設けることにより、消毒液を供給管４により貯蔵箱５の内部に輸送し、貯蔵することにより、後の消毒作業を安定に行うことができる。その後、消毒液は、導管６により霧化アセンブリの内部に抽送され、処理される。混合部を設けることにより、モータ８が制御パネル３の制御により駆動され、連動レバー９を回転させる。これにより、複数群の混合ブレード１０が貯蔵箱５の内部に回転し、貯蔵箱５の内部の消毒液が混合される。使用する際に、貯蔵箱５の内部の消毒液が沈降することが回避され、消毒効果が向上する。霧化アセンブリを設けることにより、吸引ポンプ１２がオンにされ、消毒液は、導管６により霧化器１１の内部に輸送される。消毒液が霧化器１１により霧化された後に、霧化ノズル１３により吐出される。消毒範囲が広がり、消毒作業が簡単になる。また、装置がコンパクトであるため、室内で持ち歩きやすく、部屋の隅やベッドの底等を全面的に消毒することが実現される。従来の設備の体積が大きく、移動しにくいことによる消毒の不十分が改善された。
【符号の説明】
【００２９】
１：輸送管
２：ハンドル
３：制御パネル
４：供給管
５：貯蔵箱
６：導管
７：制御弁
８：モータ
９：連動レバー
１０：混合ブレード
１１：霧化器
１２：吸引ポンプ
１３：霧化ノズル
【図１】
0003232973.tif 000003
【図２】
0003232973.tif 000004
【図３】
0003232973.tif 000005
【図４】
0003232973.tif 000006